Podtech/llm-jp-corpus-v4-ja_patent huggingface dataset:
【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示部と、
前記各周回体の回転を開始させるべく操作される始動操作手段と、
役の抽選を行う抽選手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記表示部から視認できる有効位置に、前記抽選手段による抽選により当選となった役に対応した特定絵柄又は特定絵柄の組合せが停止している場合に遊技者に特典を付与するように構成された遊技機において、
前記駆動制御手段は、前記停止操作手段の操作が行われることなく所定時間が経過した場合に前記各周回体を停止させるよう前記各駆動手段を停止制御する自動停止制御手段を備え、
該自動停止制御手段は、前記抽選手段による抽選により当選となった役に対応した特定絵柄又は特定絵柄の組合せが前記有効位置に停止しないように前記各駆動手段を停止制御する成立阻止制御手段を備えたことを特徴とする遊技機。
【請求項２】
前記抽選手段は前記始動操作手段の操作に基づき抽選を行い、
前記抽選手段による抽選により役が当選したことの報知を、前記停止操作手段の操作が有効とされる前までに開始する役報知手段をさらに備えたことを特徴とする請求項１に記載の遊技機。
【請求項３】
前記役報知手段は、少なくとも前記各周回体の回転が停止するまで前記報知を継続することを特徴とする請求項２に記載の遊技機。
【請求項４】
前記各周回体の回転の停止開始時に前記特定絵柄又は前記特定絵柄の組合せを構成する絵柄が前記有効位置から補助許容範囲内に存在すれば、その絵柄が前記有効位置に停止するよう前記回転の停止終了時期が予め設定された第１停止情報群、及び前記有効位置に前記特定絵柄又は前記特定絵柄の組合せが停止しないように、前記停止開始時に対する前記停止終了時期が予め設定された第２停止情報群を記憶した停止情報群記憶手段を備え、
前記抽選により当選となり、且つ前記停止操作手段が前記所定時間以内に操作された場合には、前記駆動制御手段は前記第１停止情報群に基づいて前記各駆動手段を停止制御すし、
前記成立阻止制御手段は、前記第２停止情報群に基づいて前記各駆動手段を停止制御することを特徴とする請求項１乃至３のいずれか１に記載の遊技機。
【請求項５】
複数種の絵柄が周方向に付された複数の周回体と、
前記各周回体について各絵柄のうち一部の絵柄を視認可能とする表示部と、
前記各周回体の回転を開始させるべく操作される始動操作手段と、
役の抽選を行う抽選手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と、
前記表示部から視認できる有効位置に、前記抽選手段による抽選により当選となった役に対応する特定絵柄の組合せが成立している場合に遊技者に特典を付与する特典付与手段と
を備え、
前記抽選手段の抽選により当選となったとしても前記停止操作手段の操作タイミングによっては対応する特定絵柄又は特定絵柄の組合せが前記有効位置に停止しないことがある特定役を、同抽選手段による抽選の当選役に備えた遊技機において、
前記駆動制御手段は、
前記停止操作手段の操作が行われることなく所定時間が経過した場合に前記各周回体を自動的に停止させるよう前記各駆動手段を停止制御する自動停止制御手段と、
少なくとも前記抽選手段による抽選により所定の役に当選した場合に、前記自動停止制御手段による前記各駆動手段の停止制御を阻止する自動停止阻止手段を備えたことを特徴とする遊技機。
【請求項６】
前記抽選手段は前記始動操作手段の操作に基づき抽選を行い、
前記抽選手段による抽選により役が当選したことの報知を、前記停止操作手段の操作が有効とされる前までに開始する役報知手段をさらに備えたことを特徴とする請求項５に記載の遊技機。
【請求項７】
前記役報知手段は、少なくとも前記周回体の回転が停止するまで前記報知を継続することを特徴とする請求項６に記載の遊技機。
【請求項８】
前記所定時間が経過したことを報知する時間経過報知手段をさらに備えたことを特徴とする請求項５乃至７のいずれか１に記載の遊技機。
【請求項９】
前記時間経過報知手段は、前記所定時間が経過することで前記報知を開始し、前記各周回体の回転が停止するまで当該報知を継続することを特徴とする請求項８に記載の遊技機。
【請求項１０】
前記所定時間が経過したか否かを判定する所定時間経過判定手段を備え、
さらに前記自動停止阻止手段は、前記抽選手段による抽選の結果を確認することにより前記自動停止制御手段による前記各駆動手段の停止制御を阻止させるか否かを判定する阻止判定手段を備え、
前記所定時間経過判定手段により前記所定時間が経過していると判定された場合にのみ前記阻止判定手段は判定を行うようにしたことを特徴とする請求項５乃至９のいずれか１に記載の遊技機。
【請求項１１】
前記駆動制御手段は、前記停止操作手段の操作が行われた場合に、前記抽選手段による抽選により当選となった役に対応する特定絵柄又は特定絵柄の組合せを構成する絵柄が前記有効位置から補助許容範囲内に存在すれば、その絵柄が前記有効位置に停止するように停止補助を行う停止補助手段を備え、
前記抽選手段による抽選により当選となった状態で、前記所定時間内に前記停止操作手段が操作された場合には前記停止補助手段による停止補助が行われ、前記所定時間内に前記停止操作手段が操作されなかった場合には前記停止補助手段による停止補助が行われないことを特徴とする請求項５乃至１０のいずれか１に記載の遊技機。
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
遊技媒体を受入させる受入手段と、
前記受入手段からの遊技媒体受入を検出し、予め定められた規定数を上限として遊技の賭数を設定する賭数設定手段と、
前記各周回体の回転を開始させるべく操作される始動操作手段と、
前記賭数設定手段が前記賭数を設定した場合、前記始動操作手段の操作に基づき、前記賭数と対応した当選確率で役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記有効位置に所定絵柄又は所定絵柄の組合せが停止した場合に、遊技媒体を払い出す等の特典を付与する特典付与手段と、
前記有効位置に特別絵柄の組合せが停止した場合に、所定の終了条件が成立するまで、遊技状態を通常遊技状態から遊技者に有利な特別遊技状態に移行させる特別遊技状態移行手段と
を備えた遊技機において、
前記抽選手段の抽選結果が前記特別絵柄の組合せと対応する特別絵柄役の当選である場合、前記特別絵柄の組合せが前記有効位置に停止するまで前記特別絵柄役当選を留保記憶する留保手段と、
該留保手段が前記特別絵柄役当選を留保記憶しているか否かを確認する留保確認手段と、
前記賭数設定手段が設定し得る賭数の上限を前記規定数より少ない第２規定数とするか否かを決定する賭数上限決定手段と、
前記留保確認手段が前記特別絵柄役当選の留保記憶を確認した場合であって、前記賭数上限決定手段が前記賭数の上限を前記第２規定数と決定した場合、前記賭数設定手段が設定し得る賭数の上限を前記第２規定数に変更する変更処理を行う賭数上限変更手段と
を備えたことを特徴とする遊技機。
【請求項２】
前記賭数上限決定手段は、前記抽選手段の抽選結果が前記特別絵柄役の当選である場合又は前記留保手段が前記特別絵柄役当選を留保している場合、規定の確率で前記賭数の上限を変更する決定を行うことを特徴とする請求項１に記載の遊技機。
【請求項３】
前記賭数上限決定手段が前記賭数の上限を変更する決定を行った場合、前記賭数上限変更手段は、所定の復帰条件が成立するまで、複数回の遊技にわたり前記変更処理を行うことを特徴とする請求項１又は２に記載の遊技機。
【請求項４】
前記賭数上限決定手段が前記賭数の上限を変更する決定を行った場合、当該結果を複数回の遊技にわたって保持する保持手段を備え、前記賭数上限変更手段は、前記保持手段の保持結果に基づいて前記変更処理を行うことを特徴とする請求項１乃至３のいずれか１項に記載の遊技機。
【請求項５】
複数種の絵柄が周方向に付された複数の周回体と、
前記各周回体について各絵柄のうち一部の絵柄を視認可能とする表示窓と、
遊技媒体を受入させる受入手段と、
前記受入手段からの遊技媒体受入を検出し、予め定められた規定数を上限として遊技の賭数を設定する賭数設定手段と、
前記各周回体の回転を開始させるべく操作される始動操作手段と、
前記賭数設定手段が前記賭数を設定した場合、前記始動操作手段の操作に基づき、前記賭数と対応した当選確率で役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記有効位置に所定絵柄又は所定絵柄の組合せが停止した場合に、遊技媒体を払い出す等の特典を付与する特典付与手段と、
前記有効位置に特別絵柄の組合せが停止した場合に、所定の終了条件が成立するまで、遊技状態を通常遊技状態から遊技者に有利な特別遊技状態に移行させる特別遊技状態移行手段と
を備えた遊技機において、
前記抽選手段の抽選結果が前記特別絵柄の組合せと対応する特別絵柄役の当選である場合、前記特別絵柄の組合せが前記有効位置に停止するまで前記特別絵柄役当選を留保記憶する留保手段と、
前記特別絵柄役に当選していることを条件の１つとして、次回の遊技時に前記賭数設定手段が設定し得る賭数の上限を前記規定数より少ない第２規定数に変更する賭数上限変更手段と
を備えたことを特徴とする遊技機。
【請求項６】
複数種の絵柄が周方向に付された複数の周回体と、
前記各周回体について各絵柄のうち一部の絵柄を視認可能とする表示窓と、
遊技媒体を受入させる受入手段と、
前記受入手段からの遊技媒体受入を検出し、予め定められた規定数を上限として遊技の賭数を設定する賭数設定手段と、
前記各周回体の回転を開始させるべく操作される始動操作手段と、
前記賭数設定手段が前記賭数を設定した場合、前記始動操作手段の操作に基づき、前記賭数と対応した当選確率で役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記有効位置に所定絵柄又は所定絵柄の組合せが停止した場合に、遊技媒体を払い出す等の特典を付与する特典付与手段と、
前記有効位置に特別絵柄の組合せが停止した場合に、所定の終了条件が成立するまで、遊技状態を通常遊技状態から遊技者に有利な特別遊技状態に移行させる特別遊技状態移行手段と
を備えた遊技機において、
前記抽選手段の抽選結果が前記特別絵柄の組合せと対応する特別絵柄役の当選である場合、前記特別絵柄の組合せが前記有効位置に停止するまで前記特別絵柄役当選を留保記憶する留保手段と、
該留保手段が前記特別絵柄役当選を留保記憶しているか否かを確認する留保確認手段と、
前記賭数設定手段が設定し得る賭数の上限を前記規定数より少ない第２規定数とするか否かを決定する賭数上限決定手段と、
前記留保確認手段が前記特別絵柄役当選の留保記憶を確認した場合であって、前記賭数上限決定手段が前記賭数の上限を前記第２規定数と決定した場合、前記賭数設定手段が設定し得る賭数の上限を前記第２規定数に変更する変更処理を行う賭数上限変更手段と
を備えたことを特徴とする遊技機。
【手続補正書】
【提出日】平成20年2月15日(2008.2.15)
【手続補正１】
【補正対象書類名】特許請求の範囲
【補正対象項目名】請求項１
【補正方法】変更
【補正の内容】
【請求項１】
少なくとも１以上の画像生成装置と、前記画像生成装置を制御し、かつ当該画像生成装置により生成された医用画像を取得して保存する複数の制御装置と、を含む医用画像システムにおいて、
前記複数の制御装置は、一の制御装置に保存されている医用画像を他の制御装置から取得可能に構成することを特徴とする医用画像システム。
【手続補正２】
【補正対象書類名】特許請求の範囲
【補正対象項目名】請求項７
【補正方法】変更
【補正の内容】
【請求項７】
少なくとも１以上の画像生成装置と、
前記画像生成装置を制御し、かつ当該画像生成装置により生成された医用画像を取得して保存する複数の制御装置と、
前記制御装置に保存されている医用画像に画像処理を施す画像処理装置と、
前記画像処理が施された読影用画像を保存し、その出力制御を行う管理装置と、を含み、
前記複数の制御装置は、一の制御装置に保存されている医用画像を他の制御装置から取得可能に構成されていることを特徴とする医用画像システム。
【手続補正３】
【補正対象書類名】特許請求の範囲
【補正対象項目名】請求項９
【補正方法】変更
【補正の内容】
【請求項９】
少なくとも１以上の画像生成装置と、前記画像生成装置を制御し、かつ画像生成装置により生成された医用画像を取得して保存する複数の制御装置と、を含む医用画像システムにおける医用画像の取得方法であって、
一の制御装置に保存されている医用画像を他の制御装置から取得することを特徴とする医用画像の取得方法。
【手続補正４】
【補正対象書類名】特許請求の範囲
【補正対象項目名】請求項１５
【補正方法】変更
【補正の内容】
【請求項１５】
少なくとも１以上の画像生成装置と、前記画像生成装置を制御し、かつ当該画像生成装置により生成された医用画像を取得して保存する複数の制御装置と、前記制御装置に保存されている医用画像に画像処理を施す画像処理装置と、前記画像処理が施された読影用画像を保存し、その出力制御を行う管理装置と、を含む医用画像システムにおける医用画像の取得方法であって、
一の制御装置に保存されている医用画像を他の制御装置から取得することを特徴とする医用画像の取得方法。
【手続補正５】
【補正対象書類名】明細書
【補正対象項目名】０００８
【補正方法】変更
【補正の内容】
【０００８】
請求項１に記載の発明は、
少なくとも１以上の画像生成装置と、前記画像生成装置を制御し、かつ当該画像生成装置により生成された医用画像を取得して保存する複数の制御装置と、を含む医用画像システムにおいて、
前記複数の制御装置は、一の制御装置に保存されている医用画像を他の制御装置から取得可能に構成することを特徴とする。
【手続補正６】
【補正対象書類名】明細書
【補正対象項目名】００１４
【補正方法】変更
【補正の内容】
【００１４】
請求項７に記載の発明は、医用画像システムにおいて、
少なくとも１以上の画像生成装置と、
前記画像生成装置を制御し、かつ当該画像生成装置により生成された医用画像を取得して保存する複数の制御装置と、
前記制御装置に保存されている医用画像に画像処理を施す画像処理装置と、
前記画像処理が施された読影用画像を保存し、その出力制御を行う管理装置と、を含み、
前記複数の制御装置は、一の制御装置に保存されている医用画像を他の制御装置から取得可能に構成されていることを特徴とする。
【手続補正７】
【補正対象書類名】明細書
【補正対象項目名】００１６
【補正方法】変更
【補正の内容】
【００１６】
請求項９に記載の発明は、
少なくとも１以上の画像生成装置と、前記画像生成装置を制御し、かつ当該画像生成装置により生成された医用画像を取得して保存する複数の制御装置と、を含む医用画像システムにおける医用画像の取得方法であって、
一の制御装置に保存されている医用画像を他の制御装置から取得することを特徴とする。
【手続補正８】
【補正対象書類名】明細書
【補正対象項目名】００２２
【補正方法】変更
【補正の内容】
【００２２】
請求項１５に記載の発明は、
少なくとも１以上の画像生成装置と、前記画像生成装置を制御し、かつ当該画像生成装置により生成された医用画像を取得して保存する複数の制御装置と、前記制御装置に保存されている医用画像に画像処理を施す画像処理装置と、前記画像処理が施された読影用画像を保存し、その出力制御を行う管理装置と、を含む医用画像システムにおける医用画像の取得方法であって、
一の制御装置に保存されている医用画像を他の制御装置から取得することを特徴とする。
【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
着目部位と静止心時相の優先順位のリストとの対応を含む静止心時相データベースを保持する保持手段と、
被検体の着目部位が取得されると、前記被検体の心電情報に基づいて、前記静止心時相データベースを参照して静止心時相の優先順位を設定する設定手段と、
設定された静止心時相の優先順位に従って、前記被検体を走査して取得した計測情報の一部を抽出する抽出手段と、
抽出された前記計測情報の一部に基づいて前記被検体の着目部位の画像を再構成する画像再構成手段と、
再構成された画像を表示する表示手段と、
を備えたことを特徴とする画像診断装置。
【請求項２】
前記保持手段は、さらに、着目部位と３次元表示における所定視線方向の優先順位とを対応付ける視線方向データベースを保持し、
前記設定手段は、さらに、前記心電情報に基づいて、前記視線方向データベースを参照して前記被検体の着目部位から所定視線方向の優先順位を設定し、
前記抽出手段は、さらに、設定された所定視線方向の優先順位に従って、前記計測情報の一部を抽出し、
前記画像再構成手段は、さらに、抽出された前記計測情報の一部に基づいて前記被検体の着目部位の３次元像を作成し、
前記表示手段は、さらに、作成された３次元像を表示することを特徴とする請求項１に記載の画像診断装置。
【請求項３】
前記画像再構成手段は、さらに、前記被検体の着目部位の優先順位に対応した優先順位の視線方向の表示情報を生成し、
前記表示手段は、さらに、生成された表示情報を表示することを特徴とする請求項２に記載の画像診断装置。
【手続補正２】
【補正対象書類名】明細書
【補正対象項目名】０００９
【補正方法】変更
【補正の内容】
【０００９】
前述した目的を達成するために本発明は、着目部位と静止心時相の優先順位のリストとの対応を含む静止心時相データベースを保持する保持手段と、被検体の着目部位が取得されると、前記被検体の心電情報に基づいて、前記静止心時相データベースを参照して静止心時相の優先順位を設定する設定手段と、設定された静止心時相の優先順位に従って、前記被検体を走査して取得した計測情報の一部を抽出する抽出手段と、抽出された前記計測情報の一部に基づいて前記被検体の着目部位の画像を再構成する画像再構成手段と、再構成された画像を表示する表示手段と、を備えたことを特徴とする画像診断装置である。
【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
配列番号：１１２に示されるアミノ酸配列からなる群から選択されるアミノ酸配列をコードするヌクレオチド配列に対して少なくとも８０％の核酸配列同一性を有する単離された核酸。
【請求項２】
配列番号：１１１に示されるヌクレオチド配列からなる群から選択されるヌクレオチド配列に対して少なくとも８０％の核酸配列同一性を有する単離された核酸。
【請求項３】
配列番号：１１１に示されるヌクレオチド配列の完全長コーディング配列からなる群から選択されるヌクレオチド配列に対して少なくとも８０％の核酸配列同一性を有する単離された核酸。
【請求項４】
ＡＴＣＣ登録番号ＰＴＡ−２４０５のもとに寄託されたＤＮＡの完全長コーディング配列に対して少なくとも８０％の核酸配列同一性を有する単離された核酸。
【請求項５】
請求項１の核酸を含むベクター。
【請求項６】
請求項５のベクターを含む宿主細胞。
【請求項７】
前記細胞がＣＨＯ細胞である請求項６の宿主細胞。
【請求項８】
前記細胞が大腸菌である請求項６の宿主細胞。
【請求項９】
前記細胞が酵母菌である請求項６の宿主細胞。
【請求項１０】
ＰＲＯポリペプチドの発現に適した条件で請求項６の宿主細胞を培養し、細胞培地からＰＲＯポリペプチドを回収することを含むＰＲＯポリペプチドの生成方法。
【請求項１１】
配列番号：１１２に示されるアミノ酸配列からなる群から選択されるアミノ酸配列に対して少なくとも８０％のアミノ酸配列同一性を有する単離されたポリペプチド。
【請求項１２】
ＡＴＣＣ登録番号ＰＴＡ−２４０５のもとに寄託されたＤＮＡの完全長コーディング配列によりコードされるアミノ酸配列に対して少なくとも８０％のアミノ酸配列同一性を有する単離されたポリぺプチド。
【請求項１３】
異種アミノ酸配列に融合した請求項１１に記載のポリペプチドを含むキメラ分子。
【請求項１４】
前記異種アミノ酸配列がエピトープタグ配列である、請求項１３のキメラ分子。
【請求項１５】
前記異種アミノ酸配列が免疫グロブリンのＦｃ領域である、請求項１３のキメラ分子。
【請求項１６】
請求項１１に記載のポリペプチドに特異的に結合する抗体。
【請求項１７】
前記抗体がモノクローナル抗体、ヒト化抗体又は一本鎖抗体である、請求項１６の抗体。
【請求項１８】
(a) 連結するシグナルペプチドを欠く配列番号：１１２に示されるポリペプチドをコードするヌクレオチド配列；
(b)連結するシグナルペプチドを有する配列番号：１１２に示されるポリペプチドの細胞外ドメインをコードするヌクレオチド配列；又は
(c)連結するシグナルペプチドを欠く配列番号：１１２に示されるポリペプチドの細胞外ドメインをコードするヌクレオチド配列：
に対して少なくとも８０％の核酸配列同一性を有する単離された核酸。
【請求項１９】
(a)連結するシグナルペプチドを欠く配列番号：１１２に示されるポリペプチドのアミノ酸配列；
(b)連結するシグナルペプチドを有する配列番号：１１２に示されるポリペプチドの細胞外ドメインのアミノ酸配列；又は 
(c) 連結するシグナルペプチドを欠く配列番号：１１２に示されるポリペプチドの細胞外ドメインのアミノ酸配列：
に対して少なくとも８０％のアミノ酸配列同一性を有する単離されたポリペプチド。
【請求項２０】
哺乳動物における腫瘍の存在を検出する方法であって、(a)前記哺乳動物から得た試験試料及び(b)同細胞型の正常細胞のコントロール試料におけるＰＲＯ２１４３４ポリペプチドの発現レベルを比較することを含み、試験試料の前記ＰＲＯポリペプチドの発現がコントロール試料に比較して高いレベルであることによって前記哺乳動物における腫瘍の存在が示される方法。
【請求項２１】
前記腫瘍が肝腫瘍である、請求項２０の方法。
【請求項２２】
配列番号：１１１から誘導されるオリゴヌクレオチドプローブ。
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
体内撮像装置によって撮像された体内の動画像データ又は連続的に撮像された複数枚の静止画像データからフレーム画像データを抽出する画像抽出手段と、
前記画像抽出手段により抽出したフレーム画像データを画像解析し、画像解析結果を出力する画像解析手段と、
を備え、
前記画像解析手段は、
第１の生体特徴を検出する第１の生体特徴検出手段と、
前記第１の生体特徴検出手段の検出結果に基づき、前記第１の生体特徴検出手段が検出に使用した画像よりも時間的に前方または後方に撮像されたフレーム画像に対して、第２の生体特徴を検出する第２の生体特徴検出手段と、
前記第２の生体特徴検出手段の検出結果に基づき、生体の性状を判定して判定結果を出力する性状判定手段と、
を備えることを特徴とする医用画像処理装置。
【請求項２】
前記第２の生体特徴検出手段は、前記第１の生体特徴検出手段の検出結果に基づき、所定枚数のフレーム画像を取得して、該フレーム画像に対して第２の生体特徴の検出処理を行うことを特徴とする請求項１記載の医用画像処理装置。
【請求項３】
前記第２の生体特徴検出手段は、前記第１の生体特徴検出手段の検出結果に基づき、
前記第１の生体特徴検出手段が処理したフレーム画像よりも時間的に前方または後方に撮像されたフレーム画像を順次取得し、
取得したフレーム画像に対して前記第１の生体特徴検出手段の処理を適用したときの検出結果に基づきフレ−ム画像の取得を中断することを特徴とする請求項第１記載の医用画像処理装置。
【請求項４】
食道内の粘膜表面を撮像した医用画像から線構造を抽出する線構造抽出手段と、
前記線構造の持つ形状特徴量から胃側となる各終端を算出する終端算出手段と、
前記形状特徴量から抽出された線構造が柵状血管であるか否かを判定する柵状血管判定手段と、
を具備することを特徴とする柵状血管検出装置。
【請求項５】
前記形状特徴量が、分岐・交差点、生成角度であることを特徴とする請求項４に記載の柵状血管検出装置。
【請求項６】
生体粘膜表面を撮像した医用画像を入力する第１のステップと、
前記医用画像から線構造を抽出する第２のステップと、
前記線構造の持つ形状特徴量を算出する第３のステップと、
前記形状特徴量から粘膜構造が柵状血管であるか否かを判定する第４のステップと、
を具備することを特徴とする柵状血管の検出方法。
【手続補正２】
【補正対象書類名】明細書
【補正対象項目名】発明の名称
【補正方法】変更
【補正の内容】
【発明の名称】医用画像処理装置、柵状欠陥検出装置および柵状血管検出方法
【手続補正３】
【補正対象書類名】明細書
【補正対象項目名】０００１
【補正方法】変更
【補正の内容】
【０００１】
本発明は、生体に対する多量の画像データから注目する性状の判定を効率良く行う医用画像処理装置、柵状欠陥検出装置および柵状血管検出方法に関する。
【手続補正４】
【補正対象書類名】明細書
【補正対象項目名】０００６
【補正方法】変更
【補正の内容】
【０００６】
（発明の目的）
本発明は、上述した点に鑑みてなされたもので、動画データ等の多量の画像データからバレット食道等の注目する性状の判定を効率良く行うことができる医用画像処理装置、柵状欠陥検出装置および柵状血管検出方法を提供することを目的とする。
【手続補正５】
【補正対象書類名】明細書
【補正対象項目名】０００７
【補正方法】変更
【補正の内容】
【０００７】
本発明の医用画像処理装置は、体内撮像装置によって撮像された体内の動画像データ又は連続的に撮像された複数枚の静止画像データからフレーム画像データを抽出する画像抽出手段と、前記画像抽出手段により抽出したフレーム画像データを画像解析し、画像解析結果を出力する画像解析手段と、を備え、前記画像解析手段は、第１の生体特徴を検出する第１の生体特徴検出手段と、前記第１の生体特徴検出手段の検出結果に基づき、前記第１の生体特徴検出手段が検出に使用した画像よりも時間的に前方または後方に撮像されたフレーム画像に対して、第２の生体特徴を検出する第２の生体特徴検出手段と、前記第２の生体特徴検出手段の検出結果に基づき、生体の性状を判定して判定結果を出力する性状判定手段と、を備えることを特徴とする。
上記構成により、生体の性状を判定する場合、第１の生体特徴が検出されてから、第２の生体特徴の検出を行うようにすることができるため、多量の画像データからバレット食道等の注目する性状の判定を効率良く行うことができるようにしている。つまり、第１の生体特徴が検出されない場合には、第２の生体特徴の検出を省くようにして効率的な画像解析処理を行えるようにしている。
本発明の柵状血管検出装置は、食道内の粘膜表面を撮像した医用画像から線構造を抽出する線構造抽出手段と、前記線構造の持つ形状特徴量から胃側となる各終端を算出する終端算出手段と、前記形状特徴量から抽出された線構造が柵状血管であるか否かを判定する柵状血管判定手段と、を具備することを特徴とする。
本発明の柵状血管検出方法は、生体粘膜表面を撮像した医用画像を入力する第１のステップと、前記医用画像から線構造を抽出する第２のステップと、前記線構造の持つ形状特徴量を算出する第３のステップと、前記形状特徴量から粘膜構造が柵状血管であるか否かを判定する第４のステップと、を具備することを特徴とする。
【手続補正書】
【提出日】平成19年12月26日(2007.12.26)
【手続補正１】
【補正対象書類名】特許請求の範囲
【補正対象項目名】請求項４
【補正方法】変更
【補正の内容】
【請求項４】
強磁性体からなる円筒状のヨークと、前記ヨークの周囲に配設された界磁用コイルとを有するステータ部材と、前記界磁用コイルと空隙を介して対向するＲ−Ｆｅ−Ｂ系（ＲはＹを含む希土類元素のうち少なくとも１種である）ラジアル異方性焼結リング磁石と、前記リング磁石を支持する支持部材とを有する可動磁石部材とを備えたボイスコイルモーターであって、
前記リング磁石は上側端面および下側端面からそれぞれ少なくとも１つのスリットが軸方向に沿って形成されており、前記スリットは前記リング磁石の軸方向長さ（Ｌ）より短い長さ（Ｌｓ）を有して軸方向に貫通しておらず、前記リング磁石は、内周面がＮ極でかつ外周面がＳ極であるか、あるいは内周面がＳ極でかつ外周面がＮ極であることを特徴とするボイスコイルモータ。
【手続補正２】
【補正対象書類名】明細書
【補正対象項目名】００１１
【補正方法】変更
【補正の内容】
【００１１】
本発明のボイスコイルモータは、強磁性体からなる円筒状のヨークと、前記ヨークの周囲に配設された界磁用コイルとを有するステータ部材と、前記界磁用コイルと空隙を介して対向するＲ−Ｆｅ−Ｂ系（ＲはＹを含む希土類元素のうち少なくとも１種である）ラジアル異方性焼結リング磁石と、前記リング磁石を支持する支持部材とを有する可動磁石部材とを備えたボイスコイルモータであって、前記リング磁石は上側端面及び下側端面からそれぞれ少なくとも１つのスリットが軸方向に沿って形成されており、前記スリットは前記リング磁石の軸方向長さ（Ｌ）より短い長さ（Ｌｓ）を有して軸方向に貫通しておらず、
前記リング磁石は、内周面がＮ極でかつ外周面がＳ極であるか、あるいは内周面がＳ極でかつ外周面がＮ極であることを特徴とする。前記界磁用コイルは前記リング磁石の磁束と鎖交する方向に巻回された巻線を有するとともに交流電源に接続して使用するのが実用的である。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
ココアマスを含有することを特徴とする乳酸菌の発酵促進剤。
【請求項２】
請求項１記載の発酵促進剤を用いることを特徴とするココア風味発酵乳飲料の製造法。
【請求項３】
請求項１記載の発酵促進剤を用いることを特徴とする酸乳またはヨーグルトの製造法。
【請求項４】
酸乳またはヨーグルトの製造にあたり、植物乳酸菌をスターターとして用いることを特徴とする請求項３記載の酸乳またはヨーグルトの製造法。
【請求項５】
ココアマスを原料とし、植物乳酸菌をスターターとして用いることを特徴とする発酵ココア飲料の製造法。
【請求項６】
植物原料及び／又は動物原料を発酵原料とし、これにココアマスを添加し、乳酸菌を用いて発酵させることにより調製された発酵飲食品。
【請求項７】
乳酸菌が植物乳酸菌及び／又は動物乳酸菌である請求項６記載の発酵飲食品。
【請求項８】
乳を発酵原料とし、これにココアマスを添加し、植物乳酸菌及び／又は動物乳酸菌を用いて発酵させることにより調製された発酵乳製品。
【請求項９】
調製された乳製品が酸乳又はヨーグルトである請求項８記載の発酵乳製品。
【請求項１０】
乳を発酵原料とし、これにココアマスを添加し、植物乳酸菌を用いて発酵させることにより調製されたヨーグルト。
【請求項１１】
植物乳酸菌がラクトバシルス・プランタラム（Lactobacillus plantarum）である請求項１０記載のヨーグルト。
【請求項１２】
ココアマスを植物原料とし、植物乳酸菌を用いて発酵させることにより調製された発酵ココア飲料。
【請求項１３】
植物乳酸菌がラクトバシルス・プランタラム（Lactobacillus plantarum）である請求項１２記載の発酵ココア飲料。
【手続補正２】
【補正対象書類名】明細書
【補正対象項目名】００１５
【補正方法】変更
【補正の内容】
【００１５】
請求項１に記載の本発明は、増殖促進剤としてココアマスを含有することを特徴とする乳酸菌の発酵促進剤である。
請求項２に記載の本発明は、請求項１記載の発酵促進剤を用いることを特徴とするココア風味発酵乳飲料の製造法である。
請求項３に記載の本発明は、請求項１記載の発酵促進剤を用いることを特徴とする酸乳またはヨーグルトの製造法である。
請求項４に記載の本発明は、酸乳またはヨーグルトの製造にあたり、植物乳酸菌をスターターとして用いることを特徴とする請求項３記載の酸乳またはヨーグルトの製造法である。
請求項５に記載の本発明は、ココアマスを原料とし、植物乳酸菌をスターターとして用いることを特徴とする発酵ココア飲料の製造法である。
請求項６に記載の本発明は、植物原料及び／又は動物原料を発酵原料とし、これにココアマスを添加し、乳酸菌を用いて発酵させることにより調製された発酵飲食品である。
請求項７に記載の本発明は、乳酸菌が植物乳酸菌及び／又は動物乳酸菌である請求項６記載の発酵飲食品である。
請求項８に記載の本発明は、乳を発酵原料とし、これにココアマスを添加し、植物乳酸菌及び／又は動物乳酸菌を用いて発酵させることにより調製された発酵乳製品である。
請求項９に記載の本発明は、調製された乳製品が酸乳又はヨーグルトである請求項８記載の発酵乳製品である。
請求項１０に記載の本発明は、乳を発酵原料とし、これにココアマスを添加し、植物乳酸菌を用いて発酵させることにより調製されたヨーグルトである。
請求項１１に記載の本発明は、植物乳酸菌がラクトバシルス・プランタラム（Lactobacillus plantarum）である請求項１０記載のヨーグルトである。
請求項１２に記載の本発明は、ココアマスを植物原料とし、植物乳酸菌を用いて発酵させることにより調製された発酵ココア飲料である。
請求項１３に記載の本発明は、植物乳酸菌がラクトバシルス・プランタラム（Lactobacillus plantarum）である請求項１２記載の発酵ココア飲料である。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、その遊技盤の前面側に設けられ且つ前記遊技領域を外部から視認させる窓が形成された窓枠とを備えた遊技機であって、
前記窓の近傍にて前方へ張り出し且つ前記遊技領域の外縁部の少なくとも一部と正面視で重なるように形成された張出し部と、
前記遊技領域内に設けられ、複数の図柄列を変動表示する第１の表示装置と、
前記張出し部に設けられ、所定の画面表示を行う第２の表示装置と
を備えたことを特徴とする遊技機。
【請求項２】
前記第２の表示装置は、正面視において前記第１の表示装置に近接していることを特徴とする請求項１に記載の遊技機。
【請求項３】
前記第１の表示装置と前記第２の表示装置との正面視距離が３０ｍｍ以下であることを特徴とする請求項２に記載の遊技機。
【請求項４】
前記第２の表示装置は、遊技の進行に応じて演出画面表示を行うことを特徴とする請求項１乃至３のいずれか１つに記載の遊技機。
【請求項５】
前記第１の表示装置が演出画面表示を行うと共に、前記第２の表示装置が前記第１の表示装置に連動して演出画面表示を行うことを特徴とする請求項４に記載の遊技機。
【請求項６】
前記第２の表示装置は、遊技機内部に記憶された各種の情報を表示することを特徴とする請求項１乃至５のいずれか１つに記載の遊技機。
【請求項７】
前記第２の表示装置は、外部から取得した各種の情報を表示することを特徴とする請求項１乃至５のいずれか１つに記載の遊技機。
【手続補正書】
【提出日】平成20年5月13日(2008.5.13)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
ペダルの他力駆動回転を利用したペダル運動機において、
ペダル回転によって行なう足の屈伸誘導速度を、全力疾走時のピッチに相当する足の屈伸動作速度から他力誘導可能な足の屈伸上限速度範囲内において、ペダルを高速回転させることを特徴とする速走力を増進させるためのトレーニング機。
【請求項２】
ペダル運動機をランニングマシンとし、走行ベルトの走行速度を全力疾走の速度以上の速さに高速走行させることを特徴とする請求項１の速走力を増進させるためのトレーニング機。
【請求項３】
ペダルの他力駆動回転するペダル運動機、もしくは、ランニングマシンにおいて、足の屈伸誘導速度を、全力疾走時のピッチに相当する足の屈伸動作速度程度から他力誘導可能な足の屈伸上限速度範囲内において、高速屈伸させることを特徴とする速走力を増進させるためのトレーニング方法。
【請求項４】
台座上方に設けた支持パイプの上部に、サドルならびにハンドルを設け、支持パイプのやや下方中間部に、大ギヤ付きペダルもしくは大歯付きプーリーと、小ギヤ付きペダルもしくは小歯付きプーリー付きペダルを、所定の間隔をおいて回転自在に取り付けたうえ、両者を、チェーンもしくは歯付きベルトによって連動させることによって、
大ギヤ付きペダルもしくは大歯付きプーリー付きペダルを回転させる自力運動によって、小ギヤ付きペダルもしくは小歯付きプーリーを付きペダルを高速回転させる他力誘導運動を行なうことを特徴とする速走力を増進させるためのトレーニング機。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
メダルを払い出すゲーム装置であって、メダル出口から払い出されるメダルを受けるためのメダル受け皿と、前記メダル受け皿の、メダル出口から払い出されるメダルの落下位置にメダルカップを載置するカップ位置ガイド手段とを有する
ことを特徴とするゲーム装置。
【請求項２】
請求項１記載のゲーム装置において、
前記メダル受け皿の奥行きは、前記メダルカップの底部外径の１乃至１．１倍であり、前記メダル受け皿の横幅は、前記メダルカップの底部外径の１．５倍以上である
ことを特徴とするゲーム装置。
【請求項３】
請求項１又は２記載のゲーム装置において、
前記カップ位置ガイド手段は、前記メダル受け皿底部に設けられた２枚の板部材であって、前記２枚の板部材の間隔は前記メダルカップの底部外径の１乃至１．１倍である
ことを特徴とするゲーム装置。
【請求項４】
請求項１又は２記載のゲーム装置において、
前記カップ位置ガイド手段は、前記メダル受け皿底部に設けられた円形の凹みであって、前記凹みの直径は、前記メダルカップの底部形状に合わせて前記メダルカップがずれない程度の大きさである
ことを特徴とするゲーム装置。
【請求項５】
複数のサテライトを有するゲーム装置であって、前記サテライト間の仕切り部に設けられ、前記仕切り部の側方である第１の方向と、前記仕切り部の上方である第２の方向とを照明する照明手段を有する
ことを特徴とするゲーム装置。
【手続補正書】
【提出日】平成20年1月24日(2008.1.24)
【手続補正１】
【補正対象書類名】明細書
【補正対象項目名】０００７
【補正方法】変更
【補正の内容】
【０００７】
従来的で慣習的な方法の更なる制限及び欠点は、図面を参照しながら本出願の以下の部分で記述されるような本発明のかかるシステムとの比較を通して、当業者には明らかになるであろう。
【特許文献１】米国特許第６５４０６７６号
【手続補正書】
【提出日】平成19年1月23日(2007.1.23)
【手続補正１】
【補正対象書類名】明細書
【補正対象項目名】発明の名称
【補正方法】変更
【補正の内容】
【発明の名称】食品素材に霊芝のエキス及び微粉末を添加すると食品素材の持つ機能性効果及びその活性力の強化及び改善が得られ、新たな機能性を有した食品及び素材。
【手続補正２】
【補正対象書類名】特許請求の範囲
【補正対象項目名】請求項１
【補正方法】変更
【補正の内容】
【請求項１】
食品素材には各種の機能性を有していたり、反対にマイナス効果を有していることもある。霊芝の抽出エキス、及び微粉末を配合し利用すると、アトピー性皮膚炎の予防効果及び改善が認められた。
主な食品素材は、オートミール、ハトムギ、ヒエ、キビ、中力粉、コーン、小豆、アマランサス、米糠、紫いも、緑レンズ豆、大豆等に霊芝の抽出エキス、又は霊芝の２〜３０ミクロンの微粉末を一定の比率で混合し、ビオチン活性を測定すると食品素材単独よりも、強い活性力の値が得られた。
ビオチン活性の値は、アトピー性皮膚炎の予防効果を示す値であり、高い活性が認められた。オートミール、ハトムギ、ヒエ、キビ、中力粉、コーン、小豆、アマランサス、米糠、紫いも、緑レンズ豆、大豆等に霊芝から熱水抽出したエキス又は２〜３０ミクロンの微粉末を配合し、乳幼児食及び離乳食や健康食品、機能性食品、病院給食等の加工食品を作るとアトピー性皮膚炎の予防効果として高い活性が得られる食品。
【手続補正３】
【補正対象書類名】特許請求の範囲
【補正対象項目名】請求項２
【補正方法】変更
【補正の内容】
【請求項２】
食品素材には血栓を予防したり、線溶解効果のある素材があるが霊芝から抽出したエキス又は２〜３０ミクロンにした微粉末を食品素材に添加すると、食品素材単独よりも、抗トロンビン活性、腺溶解活性の相乗効果が現れる。
主な食品素材はアマランサス、オートミール、キビ、中力粉、餅米、米糠、コーン、ハトムギ、ヒエ、小豆、緑レンズ豆、大豆、生乳、ビール酵母等と霊芝の抽出エキス又は２〜３０ミクロンにした微粉末を配合し、抗トロンビン活性を見ると食品素材単独よりも大幅に活性力がみられ、血栓予防効果が強くなることが認められた。
又キビ、米糠、緑レンズ豆、大豆、生乳、ビール酵母と霊芝の抽出エキス又は２〜３０ミクロンの微粉末を配合し、線溶解活性を見ると素材単独よりも強い活性が認められた。食品加工において、アマランサス、オートミール、キビ、中力粉、餅米、米糠、コーン、ハトムギ、ヒエ、小豆、緑レンズ豆、大豆、生乳、ビール酵母等を配合すると血栓の予防、線溶解効果の高い、健康食品、機能性食品、病院給食などの食品。
【手続補正４】
【補正対象書類名】特許請求の範囲
【補正対象項目名】請求項３
【補正方法】変更
【補正の内容】
【請求項３】
食品素材には血圧の上昇制御する機能を有する素材や逆に単独では血圧を上昇させる食品素材もある。食品素材に霊芝の抽出エキス又は２〜３０ミクロンの微粉末を配合すると血圧上昇制御抑制効果の活性が強くなる素材がある。
食品素材のコーン、ウコン、黒砂糖、小豆、生乳は単独ではアンジオテンシン１変換酵素阻害活性の測定ではマイナスの値になり、血圧上昇制御活性をしめしていないが、霊芝の熱水抽出エキス及び霊芝の２〜３０ミクロンの微粉末を配合しアンジオテンシン１変換酵素阻害活性の値はプラス１００〜２００％の値を示す。又中力粉、米糠、ハトムギ、豆乳は単独ではアンジオテンシン１型変換酵素阻害活性は６．６〜５２．６％と低い値であるが、霊芝の抽出エキス又は２〜３０ミクロンの微粉末を配合すると１００〜１４９．５％との高い活性値を示し血圧上昇制御の活性が増加することを示した。
食品加工品としてコーン、ウコン、黒砂糖、小豆、生乳、中力粉、米糠、ハトムギ、豆乳を入れると血圧上昇制御を目的とした健康食品、機能性食品、病院給食などの食品。
【手続補正５】
【補正対象書類名】特許請求の範囲
【補正対象項目名】請求項４
【補正方法】変更
【補正の内容】
【請求項４】
食品素材のなかにはメラニン抑制を阻害する食品がある。メラニン抑制を阻害すると肌に悪い影響を起こす。
食品素材のアマランサス、オートミール、キビ、中力粉、餅米、コーン、ハトムギ、ヒエ、バレイショ、小豆、緑レンズ豆、大豆、生乳、ビール酵母等は単独ではチロシナーゼ阻害活性はマイナス７６．４〜マイナス２１．６％の値であるが霊芝の抽出液又は２〜３０ミクロンの微粉末を配合し、チロシナーゼ阻害活性の測定検査の結果、値はプラス４２．６〜９５．２％と活性力が増加した。
食品加工において美白効果又はメラニン抑制効果を目的にアマランサス、オートミール、キビ、中力粉、餅米、コーン、ハトムギ、ヒエ、バレイショ、小豆、緑レンズ豆、大豆、生乳、ビール酵母等にに霊芝の抽出エキス又は２〜３０ミクロンの微粉末を配合し、美白効果の強い、健康食品。
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
食欲または食物摂取を抑制する栄養補助食品、機能性食品または医薬を製造するための、共役リノール酸（ＣＬＡ）のシス−９，トランス−１１異性体の使用。
【請求項２】
総ＣＬＡ含量に対してシス−９，トランス−１１異性体を少なくとも３０重量％含有する共役リノール酸（ＣＬＡ）を使用する請求項１に記載の使用。
【請求項３】
総ＣＬＡ含量に対して、トランス−１０，シス−１２異性体を３０重量％まで、並びに８，１０−、１１，１３−およびトランス，トランス異性体を全部で１重量％未満含有する共役リノール酸（ＣＬＡ）を使用する請求項１または２に記載の使用。
【請求項４】
主要異性体としてシス−９，トランス−１１異性体とトランス−１０，シス−１２異性体とを１：１．２ないし１．２：１の比で含有する共役リノール酸（ＣＬＡ）を使用する請求項１〜３のいずれかに記載の使用。
【請求項５】
前記物質を０．０５〜５ｇ／日の量で投与する請求項１〜４のいずれかに記載の使用。
【請求項６】
共役リノール酸（ＣＬＡ）を他の親油性物質と組み合わせる請求項１〜４のいずれかに記載の使用。
【手続補正書】
【提出日】平成20年3月3日(2008.3.3)
【手続補正１】
【補正対象書類名】特許請求の範囲
【補正対象項目名】請求項１
【補正方法】変更
【補正の内容】
【請求項１】
式（１）
【化１】
2005247850.tif 000001
［式中、Ａは C2〜 C4−アルキレンであり、
Ｂは C1〜 C4−アルキレンであり、
ｎは１〜１００の数でありそして
Ｒは C1〜C13−アルキル、C2〜C13−アルケニルまたは C6〜C13−アリールである。］
で表される化合物を、
a)  式
【化２】
2005247850.tif 000002
で表されるオキソアルキル化アルコールおよびそれのアルコキシドの塩基性混合物を溶剤の不存在下に C2〜C5−クロロカルボン酸でアルキル化し、
b)  そうして得られるエーテルカルボン酸塩を酸の添加によって遊離エーテルカルボン酸塩に転化し、その際にｐＨを３またはそれ以下に調整し、
c)  そうして得られるエーテルカルボン酸から存在する水を、洗浄せずに減圧下での蒸留によって＜０．３０％の残留水含有量に下げるまで除き、そして
d)  沈殿した金属塩を濾過によって除き、その結果得られる生成物が＜０．２％の残留塩含有量を有する
ことによって製造する方法。
【手続補正２】
【補正対象書類名】明細書
【補正対象項目名】００１４
【補正方法】変更
【補正の内容】
【００１４】
で表されるオキソアルキル化アルコールおよびそれのアルコキシドの塩基性混合物を溶剤の不存在下に C2〜C5−クロロカルボン酸でアルキル化し、
b)  そうして得られるエーテルカルボン酸塩を酸の添加によって遊離のエーテルカルボン酸に転化し、その際にｐＨを３またはそれ以下に調整し、
c)  そうして得られるエーテルカルボン酸から存在する水を、洗浄せずに減圧下での蒸留によって＜０．３０％の残留水含有量に下げるまで除き、そして
d)  沈殿した金属塩を濾過によって除き、その結果得られる生成物が＜０．２％の残留塩含有量を有する
ことによって製造する方法である。
【手続補正３】
【補正対象書類名】明細書
【補正対象項目名】００３１
【補正方法】変更
【補正の内容】
【００３１】
以下に示す実施例から判る通り、＜０．２０％の非常に低い残留塩含有量のエーテルカルボン酸が本発明の方法によって製造できる。かゝるエーテルカルボン酸は一般に＜１５μS/cmの導電性を有する。
実施例：
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
少なくとも一種のアミロース含有澱粉を含む組成物を人工的に染められた毛髪に適用することを含む、毛髪上の人工色を安定化する方法。
【請求項２】
該組成物がリーブ‐オン（leave-on）組成物、またはリンス‐オフ（rinse-off）組成物である、請求項１に記載の方法。
【請求項３】
該少なくとも一種のアミロース含有澱粉が高アミロース澱粉である、請求項１または２に記載の方法。
【請求項４】
該少なくとも一種のアミロース含有澱粉がカチオン性に改質された澱粉である、請求項１または２に記載の方法。
【請求項５】
該少なくとも一種のアミロース含有澱粉が非イオン性に改質された澱粉である、請求項１または２に記載の方法。
【請求項６】
該少なくとも一種のアミロース含有澱粉がアミロース含有コーンスターチである、請求項１または２に記載の方法。
【請求項７】
該少なくとも一種のアミロース含有澱粉が、該組成物の全重量基準で0.25〜10重量％の量で存在する、請求項１〜６のいずれか一項に記載の方法。
【請求項８】
該組成物が予備シャンプートリートメントである、請求項１〜７のいずれか一項に記載の方法。
【請求項９】
該組成物が、ムース、ゲル、ポマード、ワックス、ヘアースプレー、コンディショナー、及びそれらの組合せから成る群から選択されるものである、請求項１〜７のいずれか一項に記載の方法。
【請求項１０】
該組成物が毛髪固定剤を更に含む、請求項１〜９のいずれか一項に記載の方法。
【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
ビスホスホネートを断続的に投与し、ビスホスホネートの投与の間の期間が少なくとも約６ヶ月である、異常に増加した骨ターンオーバーの状態の処置のための医薬の製造における、ビスホスホネートの使用。
【請求項２】
ビスホスホネートの投与の間の期間が少なくとも約１年に１回である、請求項１に記載の使用。
【請求項３】
ビスホスホネートがＮ−ビスホスホネートまたはその薬学的に許容される塩、または任意のその水和物である、請求項１に記載の使用。
【請求項４】
骨粗鬆症の予防的処置のためであり、ビスホスホネートの投与の間の期間が約１年に１回またはそれより少ない、請求項１に記載の使用。
【請求項５】
ビスホスホネートが１−ヒドロキシ−２−(イミダゾル−１−イル)−エタン−１,１−ジホスホン酸、またはその薬学的に許容される塩、または任意のその水和物である、請求項１に記載の使用。
【請求項６】
骨粗鬆症の予防的処置のためであり、ビスホスホネートの投与の間の期間が約１８ヶ月に１回、約２年に１回またはそれ以下である、請求項１に記載の使用。
【請求項７】
ビスホスホネート類を非経腸的に投与する、請求項１に記載の使用。
【請求項８】
ビスホスホネート類を静脈内、皮下、筋肉内、または経皮で投与する、請求項１に記載の使用。
【請求項９】
ビスホスホネートが：３−アミノ−１−ヒドロキシプロパン−１,１−ジホスホン酸(パミドロン酸)、例えばパミドロネート(ＡＰＤ)；３−(Ｎ,Ｎ−ジ−メチル−アミノ)−１−ヒドロキシ−プロパン−１,１−ジホスホン酸、例えばジメチル−ＡＰＤ；４−アミノ−１−ヒドロキシブタン−１,１−ジホスホン酸(アレンドロン酸)、例えばアレンドロネート；１−ヒドロキシ−エチデン−ビスホスホン酸、例えばエチドロネート；１−ヒドロキシ−３−(メチルペンチルアミノ)−プロピリデン−ビスホスホン酸、(イバンドロン酸)、例えばイバンドロネート；６−アミノ−１−ヒドロキシ−ヘキサン−１,１−ジ−ホスホン酸、例えばアミノ−ヘキシル−ＢＰ；３−(Ｎ−メチル−Ｎ−ｎ−ペンチルアミノ)−１−ヒドロキシプロパン−１,１−ジ−ホスホン酸、例えばメチル−ペンチル−ＡＰＤ(＝ＢＭ  ２１.０９５５)；１−ヒドロキシ−２−(イミダゾル−１−イル)−エタン−１,１−ジホスホン酸、例えばゾレドロン酸；１−ヒドロキシ−２−(３−ピリジル)エタン−１,１−ジホスホン酸(リセドロン酸)、例えばリセドロネートであり、そのＮ−メチルピリジニウム塩、例えばＮＥ−１０２４４またはＮＥ−１０４４６のようなＮ−メチルピリジニウムヨウ化物を含む；１−(４−クロロフェニルチオ)−メタン−１,１−ジホスホン酸(チルドロン酸)、例えばチルドロネート；３−[Ｎ−(２−フェニルチオ−エチル)−Ｎ−メチル−アミノ]−１−ヒドロキシ−プロパン−１,１−ジ−ホスホン酸；１−ヒドロキシ−３−(ピロリジン−１−イル)プロパン−１,１−ジホスホン酸、例えばＥＢ  １０５３(Leo)；１−(Ｎ−フェニル−アミノチオカルボニル)−メタン−１,１−ジホスホン酸、例えばＦＲ  ７８８４４(Fujisawa)；５−ベンゾイル−３,４−ジヒドロ−２Ｈ−ピラゾール−３,３−ジホスホン酸四エチルエステル、例えばＵ−８１５８１(Upjohn)；１−ヒドロキシ−２−(イミダゾ[１,２−ａ]ピリジン−３−イル)エタン−１,１−ジホスホン酸、例えばＹＭ  ５２９；および１,１−ジクロロメタン−１,１−ジホスホン酸(クロドロン酸)、例えばクロドロネート；ＹＭ１７５、またはその薬学的に許容される塩、または任意のその水和物からなる群から選択される、請求項１に記載の使用。